(57)【特許請求の範囲】
【請求項１】
製本対象となる印刷用紙１冊分の印刷頁数を表す頁構成を登録する登録部と、
搬送された印刷用紙の印刷内容を読み取る読取部と、
前記読取部により読み取られた印刷内容と予め決められた照合用データとを比較し、印刷内容が正常か否かを判別する判別部と、
前記判別部により印刷内容が正常であると判別された印刷用紙が搬送されて順次格納され、複数枚の印刷用紙を格納する格納部と、
前記格納部に格納された印刷用紙の格納枚数をカウントするカウント部と、
前記カウント部によりカウントされた印刷用紙の格納枚数と、前記登録部により登録された印刷用紙１冊分の印刷頁数を表す頁構成とを照合し、前記格納部に最終頁の印刷用紙が格納されたか否かを比較する比較部と、
前記比較部により最終頁の印刷用紙が格納されたと比較された場合は前記格納部に格納された複数枚の印刷用紙を綴じる綴じ部と、
を備えたことを特徴とする自動製本装置。
【発明の詳細な説明】
【０００１】
【産業上の利用分野】
本発明は、ＭＩＣＲリーダ付手形・小切手帳の製本に適用して好適な自動製本装置に関する。
【０００２】
【従来の技術】
図１７及び図１８に示すように、従来の金融機関の事務センター等において行われている手形帳、小切手帳の発行業務においては、その業務の最終行程であるＭＩＣＲ（Ｍａｇｎｅｔｉｃ  Ｉｎｋ  Ｃｈａｒａｃｔｅｒ  Ｒｅｃｏｇｎｉｔｉｏｎ：磁気インキ文字読取用字体）印字の確認行程と、ステープラー止め等の製本工程は、手作業が主体で行われている。
【０００３】
具体的には、図１７及び図１８に示すように▲１▼〜▲６▼の工程の順に処理されており、▲１▼の印刷＆ＭＩＣＲ印字工程では（手形）小切手用紙に（手形）小切手発行装置で要件印刷とＭＩＣＲ印字を行い、▲２▼のＭＩＣＲ読取チェック工程では▲１▼で印刷された印刷＆印字済券面をＭＩＣＲ読取装置で読み取ってＭＩＣＲ正常分とＭＩＣＲエラー分とを仕分けし、ＭＩＣＲ正常分は▲３▼の冊分離・バインド工程で冊単位を輪ゴムで束ねる手作業を行い、また、ＭＩＣＲエラー分は▲３▼´のエラー分裁断・廃棄工程でシュレッダーにより裁断・廃棄処分とする。
【０００４】
さらに、▲３▼の工程により冊単位に束ねられた（手形）小切手帳は、▲４▼の枚数等チェック工程で冊単位の枚数等が手作業でチェックされ、▲５▼のステープル工程により電動ステープル装置により一冊づつ綴じる手作業を経た後、▲６▼のバンド外し＆背張り工程により▲３▼の工程で使われた輪ゴムを外し、ステープルの針で綴じられた部分を覆う背紙を張る手作業を行って、（手形）小切手帳の完成品が出来上がる。
【０００５】
【発明が解決しようとする課題】
しかしながら、このような従来の金融機関の事務センター等において行われている手形帳、小切手帳の発行業務においては、その業務の最終行程であるＭＩＣＲ印字の確認行程と、ステープラー止め等の製本工程は、手作業が主体で行われていたため、以下に述べるような問題点があった。
【０００６】
すなわち、図１７及び図１８に示した▲１▼〜▲６▼の工程毎に別々の手作業が必要であり、手形、小切手の現物の移し替えや冊毎の頁区分け等の工程毎に重要物（有価証券）であるがゆえに、作業員は大変神経を使い負担も大きい。
【０００７】
特に、ＭＩＣＲ印字部分の仕様は、ＪＩＳ−Ｃ６２５１磁気インキ文字読取用字体及び印字仕様（Ｅ１３Ｂ）に示されているように、ＭＩＣＲ文字の印字品質の規定が厳しく、上記▲２▼のＭＩＣＲ読取チェック工程を怠ると、この規定から外れた印字が出た場合、手形、小切手の流通過程にある手形交換所で、リーダーソーターエラー（ＭＩＣＲ読取及び分類仕分機の読み取りエラー）となり、クレームが発生する可能性がある。このため、手形、小切手の発行元では、予めＭＩＣＲ読取チェック工程を行う必要がある。
本発明の課題は、ＭＩＣＲリーダ付手形・小切手帳の発行元における手作業の工程を軽減する自動製本装置を提供することである。
【０００８】
【課題を解決するための手段】
請求項１記載の発明は、製本対象となる印刷用紙１冊分の印刷頁数を表す頁構成を登録する登録部と、搬送された印刷用紙の印刷内容を読み取る読取部と、前記読取部により読み取られた印刷内容と予め決められた照合用データとを比較し、印刷内容が正常か否かを判別する判別部と、前記判別部により印刷内容が正常であると判別された印刷用紙が搬送されて順次格納され、複数枚の印刷用紙を格納する格納部と、前記格納部に格納された印刷用紙の格納枚数をカウントするカウント部と、前記カウント部によりカウントされた印刷用紙の格納枚数と、前記登録部により登録された印刷用紙１冊分の印刷頁数を表す頁構成とを照合し、前記格納部に最終頁の印刷用紙が格納されたか否かを比較する比較部と、前記比較部により最終頁の印刷用紙が格納されたと比較された場合は前記格納部に格納された複数枚の印刷用紙を綴じる綴じ部と、を備えたことを特徴とする。
【００１６】
【実施例】
以下、図１〜図１６を参照して実施例を詳細に説明する。
図１〜図１６は、本発明を適用した手形・小切手発行処理システムの一実施例を示す図である。
まず、手形・小切手発行処理工程の全体の流れを図１及び図２を参照して説明する。
【００１７】
図１及び図２において、▲１▼の印刷＆ＭＩＣＲ印字工程では、従来と同様に手形・小切手用紙に手形・小切手発行装置で要件印刷とＭＩＣＲ印字を行い、▲２▼のＭＩＣＲ読取・冊分離・枚数チェック・ステープル工程では、本発明を適用した自動製本装置により▲１▼で印刷された印刷＆印字済券面をＭＩＣＲ読取装置で読み取ってＭＩＣＲ正常分とＭＩＣＲエラー分とが仕分けされ、ＭＩＣＲ正常分が冊分離され、冊単位の枚数等がチェックされた後、電動ステープル装置により一冊づつ綴じられる。また、ＭＩＣＲエラー分は▲３▼´のエラー分裁断・廃棄工程で従来と同様にシュレッダーにより裁断・廃棄処分される。
【００１８】
さらに、▲３▼の背張り工程では、従来と同様に▲２▼の工程でステープルの針で綴じられた部分を覆う背紙を張る手作業を行って、（手形）小切手帳の完成品が出来上がる。
【００１９】
図３及び図４は、自動製本装置１の内部構成を上面及び側面から見た図であり、図中では、ホッパ部２、搬送ユニット３、ＭＩＣＲ読取部４、ワークスタッカ部５、電動ステープルユニット６、表示部７及びジャーナルプリンタ部８の各配置を示している。また、自動製本装置１には、キー入力装置９が接続されており、手形・小切手帳の冊構成データ等を登録する際に利用される。
【００２０】
ホッパ部２には、手形・小切手発行装置により要件印刷とＭＩＣＲ印字済みの手形・小切手券面を図中下向きにしてセットすると、搬送ユニット３の搬送ローラーにより１枚づつ搬送されてＭＩＣＲ読取部４に送出される（図３、図４中▲１▼）。このＭＩＣＲ読取部４の着磁ヘッド４ａ及び読取ヘッド４ｂによるＭＩＣＲ文字の読み取りと、読み取ったＭＩＣＲ文字のチェック処理が行われた後（図３、図４中▲２▼）、さらに搬送ユニット３の搬送ローラーにより１枚づつ搬送されワークスタッカ部５に送り出される。
【００２１】
ワークスタッカ部５では、スパイラルコイル５ａにより券面がスタッカ壁５ｂ方向に押し付けられるとともに（図３中▲３▼）、用紙揃えバー５ｃが図中右方向に動くことにより（図３中▲４▼）、券面端部が図中右方向に揃えられる。図中▲１▼〜▲４▼の処理が一冊分繰り返し行われて終了すると、電動ステープルユニット６が図中右方向に移動し（図３中▲５▼）、一冊分の券面がステープル針で綴じられる。
【００２２】
そして、ワークスタッカ部５の底板５ｄが開かれて（図４中▲６▼）、一冊の手形・小切手帳が排出口１０から排出される（図４中▲７▼）。この排出された手形・小切手帳は、カゴ等で受けられる。
そして、ホッパ部２にセットされた券面がなくなるまで以上の処理が繰り返し実行される。
【００２３】
また、表示部７には、キー入力装置９からキー入力されるデータや各種エラーメッセージ等が表示され、ジャーナルプリンタ部８では、各エラー内容をプリントアウトする。
【００２４】
図５は、自動製本装置１のブロック構成図であり、主制御部１１、メモリ１２、搬送制御部１３、ＭＩＣＲ読取制御部１４、電動ステープラ制御部１５、電源部１６、表示部７、ジャーナルプリンタ部８及びキー入力部９により構成されている。
【００２５】
主制御部１１は、後述するメイン処理において自動製本装置１内の各部の動作タイミングを制御し、ＭＩＣＲ読取部４で読み取られるＭＩＣＲ文字の内容を解析して、ＭＩＣＲデータエラー内容の判別及び報知を行うとともに、予め登録された手形・小切手帳の冊構成に係るパラメータをカウンタにより解析して、頁構成エラー等を判別及び報知し、各エラー内容をジャーナルプリンタ部８によりプリントアウトさせる等の処理を行う。また、主制御部１１は、冊構成に係るパラメータ（冊数、頁数、ＭＩＣＲ桁数等）をカウントするカウンタ（レジスタ）を内蔵する。
【００２６】
メモリ１２は、キー入力装置９によりキー入力される手形・小切手帳の冊構成に係るパラメータを頁構成登録テーブルとして格納するとともに、ＭＩＣＲ桁構成登録処理により登録されるＭＩＣＲ桁構成データを桁構成テーブルとして格納する。
【００２７】
搬送制御部１３は、主制御部１１から指示に従って搬送ユニット３を駆動制御し、ホッパ部２にセットされた券面を搬送させる。ＭＩＣＲ読取制御部１４は、主制御部１１から指示に従ってＭＩＣＲ読取部４を駆動制御し、読み取られた券面のＭＩＣＲ文字データを主制御部１１に送出する。
【００２８】
電動ステープラ制御部１５は、主制御部１１から指示に従って電動ステープラユニットを駆動制御し、ワークスタッカ部５に送られてくる一冊分の手形・小切手帳をステープル針で綴じさせる。電源部１６は、図外の電灯線から供給される電圧に基づいて自動製本装置１内の各ブロックに供給する電源電圧を生成して供給する。
【００２９】
次に、動作を説明する。
まず、小切手帳の代表的な冊構成について図６及び図７を参照して説明する。図６において、（１）１頁目は表紙で始まり、（２）２頁目は本券１枚目（小切手本券印刷内容とＭＩＣＲ印字内容）となり、（３）３頁目は本券２枚目となる。同様の本券が（４１）４１頁目まで続き、図７に示すように、（４２）４２頁目に交付請求書が入り、（４３）４３頁目にまた本券４１枚目となり、（５２）５２頁目まで本券５０枚目が続き、（５３）５３頁目が小切手帳の裏表紙となる。
【００３０】
通常の場合、ＭＩＣＲ印字は本券のみに印字され、（１）表紙、（４２）交付請求書、（５３）裏表紙についてはＭＩＣＲ印字は行われない。
また、図８は、国内で流通される小切手本券に印字されるＭＩＣＲ印字桁の規定例を示す図であり、この規定によれば自行欄、補助自行欄として規定されている桁には、各金融機関が自行（自分の銀行）の都合により印字内容を決めて良い欄となっている。
【００３１】
また、図９は、ＭＩＣＲ印字桁の代表的な構成例を示す図である。
この図９において、▲１▼銀行毎の固定データ桁は、銀行番号やフィールド区切り等の銀行内で発行される小切手帳又は手形帳それぞれが全て同じデータである桁である。
【００３２】
▲２▼冊内固定データ桁は、一冊毎には変わるが、同一一冊内ではでは変わらないデータ桁であり、手形・小切手種類コード、交換所コード、支店番号、口座番号等が対象となる。
【００３３】
▲３▼シリアルデータ桁は、１枚毎にデータが変わる桁であり、通常は手形・小切手番号等のシリアルデータ（通し番号）として使われる。
【００３４】
▲４▼非印字固定桁は、手形・小切手帳発行時には、ＭＩＣＲ印字せず、振出人が振出後（金額記入及び押印後）の流通過程でＭＩＣＲ印字される桁であり、金額印字欄等が対象となる。
【００３５】
本実施例の自動製本装置１では、以上のＭＩＣＲ印字桁の規定を記憶し、比較することによってＭＩＣＲ印字内容のチェックや冊構成（本券と表紙等の区別）のチェックを行う。
【００３６】
次に、本実施例の自動製本装置１の主制御部１１において実行される頁構成登録処理について図１０に示すフローチャートに基づいて説明する。
まず、ＭＩＣＲ印字を行った頁数の登録をキー入力装置９及び表示部８により行い（ステップＳ１）、ＭＩＣＲ非印字の頁数を同様に登録し（ステップＳ２）、終了頁数を同様に登録して（ステップＳ３）、本処理を終了する。
【００３７】
この登録処理の結果、図１１に示すように、上記図３及び図４に示した冊構成に基づく登録内容（１頁目：ＮＯＮ−ＭＩＣＲ（ＭＩＣＲ非印字），２頁目〜４１頁目：ＭＩＣＲ印字，４２頁目：ＮＯＮ−ＭＩＣＲ（ＭＩＣＲ非印字），４３頁目〜５２頁目：ＭＩＣＲ印字，５３頁目：ＮＯＮ−ＭＩＣＲ＆ＥＮＤＰＡＧＥ（ＭＩＣＲ非印字と最終頁））をメモリ１２に登録する。
【００３８】
次に、自動製本装置１の主制御部１１において実行されるメイン処理について図１２及び図１３に示すフローチャートに基づいて説明する。
まず、何冊処理を終了したかを数える冊数カウンタを“０”にクリアし（ステップＳ１１）、オペレータによるホッパ部２への用紙のセットとキー入力装置９における開始キーの入力を待つ（ステップＳ１２、Ｓ１３）。開始キーが入力されると、処理を開始し、ホッパ部２にセットされる用紙の有無をチェックし（ステップＳ１４、Ｓ１５）、用紙がセットされていない場合は、ステップＳ１２の開始・終了キーの入力待ちに戻り、用紙がセットされていた場合は、頁カウンタ（表紙、本券他一冊内の全ての頁が対象とするカウンタ）とシリアルカウンタ（ＭＩＣＲ印字頁のみ対象とするカウンタ）を“０”にクリアする（ステップＳ１６）。
【００３９】
次いで、ホッパ部２内にセットされた用紙１枚を搬送ユニット３により搬送させて（ステップＳ１７）、ＭＩＣＲ読取部４に送って通過させてＭＩＣＲ文字を読み取らせ（ステップＳ１８）、ワークスタッカ部５に搬送させた後、頁カウンタを“＋１”インクリメントする（ステップＳ１９）。そして、ＭＩＣＲ読取部４の読み取り結果を判別し（ステップＳ２０）、表紙等でＭＩＣＲ文字が印刷されていない（ＮＯＮ−ＭＩＣＲ）の場合は、上記頁構成登録処理によりメモリ１２に登録した図１１の頁構成登録テーブルの登録内容と頁カウンタのカウント値を基に頁種の照合を行う（ステップＳ２１）。照合の結果内容が一致している場合（テーブル内容もＮＯＮ−ＭＩＣＲ）は、チェックＯＫとし（ステップＳ２２）、ステップＳ２８の処理へ移行する。
【００４０】
また、ステップＳ２０においてＭＩＣＲ読取部４の読み取り結果、ＭＩＣＲ文字が読み取られた場合は、シリアルカウンタを“＋１”インクリメントし（ステップＳ２３）、頁構成登録テーブルの登録内容との照合を行う（ステップＳ２４）。そして、その照合の結果内容が一致している場合は、チェックＯＫとし（ステップＳ２５）、ＭＩＣＲ読取データのデータチェックを行う（ステップＳ２６）。このＭＩＣＲ読取データのデータチェック処理については後述する。
【００４１】
そして、ＭＩＣＲ読取データのデータチェック結果がＯＫの場合は（ステップＳ２７）、ワークスタッカ部５内で用紙揃えバー５ｃを動かして、用紙端部を整える（ステップＳ２８）。
【００４２】
次いで、頁構成がＥＮＤ−ＰＡＧＥか否かを判別し（ステップＳ２９）、ＥＮＤ−ＰＡＧＥでない場合は、ホッパ部２内にセットされた用紙の有無をチェックする（ステップＳ３０、Ｓ３１）。セットされた用紙が有る場合は、ステップＳ１７の用紙の搬送処理に戻り、セットされた用紙が無い場合は、ステップＳ３５以降のエラー処理を実行する。
【００４３】
また、ステップＳ２９で頁構成がＥＮＤ−ＰＡＧＥである場合は、電動ステープルユニット６を起動して（ステップＳ３２）、一冊分の用紙をステープル針で綴じた後、冊をワークイタッカ部５へ排出し（ステップＳ３３）、冊カウンタをインクリメントして（ステップＳ３４）、ステップＳ１４のホッパ部２内にセットされた用紙の有無のチェックに戻る。
【００４４】
また、ステップＳ２２においてＮ０Ｎ−ＭＩＣＲ用紙の頁構成内容のチェックによる照合の結果内容が一致しなかった場合、また、ステップＳ２５においてＭＩＣＲ印字用紙の頁構成内容のチェックによる照合の結果内容が一致しなかった場合は、チェックＮＧ、頁構成エラーとし、また、ステップＳ２７においてＭＩＣＲデータチェックの結果がＭＩＣＲデータエラーとなった場合、ステップＳ３１においてホッパ部２内に用紙がセットされていなかった場合、冊内用紙不足として、それぞれステップＳ３５以降のエラー処理に移行する。
【００４５】
このエラー処理において、まず、ステップＳ３５ではブザー発呼をし、エラー内容を表示部７に表示させた後（ステップＳ３６）、正常完了冊数、エラー頁、エラー内容、ＭＩＣＲデータ内容等をジャーナルプリンタ部８によりプリントアウトさせる（ステップＳ３７）。そして、ステップＳ１２の開始・終了のキー入力待ち処理に戻る。
【００４６】
また、エラーが発生した時オペレータは、エラーが発生した券面を含む、その一冊全ての頁をワークスタッカ部５及びホッパ部２から取り除き、次の冊の１頁目がホッパ部２にセットされていることを確認して、開始キーを操作する。
【００４７】
また、ステップＳ１２において終了キーが入力された場合、ステップＳ１５においてホッパ部２内に用紙がセットされていなかった場合は、ステップＳ３８において処理が終了した冊数をジャーナルプリンタ部８によりプリントアウトさせて、本処理を終了する。
【００４８】
次に、上記ステップＳ２６において実行されるＭＩＣＲデータチェック処理について図１４に示すフローチャートに基づいて説明するが、この処理の前には、予めＭＩＣＲ桁構成が登録されている必要が有り、このＭＩＣＲ桁構成登録処理について図１５に示すフローチャートに基づいて説明する。
【００４９】
まず、ＭＩＣＲ固定桁をキー入力装置９及び表示部７により登録すると（ステップＳ）、図１６に示すように、桁構成テーブル中の▲１▼固定桁に相当する印字桁部分に“１”がセットされ、ＭＩＣＲ冊内固定桁を同様に登録すると（ステップＳ）、図１６に示すように、桁構成テーブル中の▲２▼冊内固定桁に相当する印字桁部分に“１”がセットされ、さらに、ＭＩＣＲシリアルデータ桁を同様に登録すると（ステップＳ）、図１６に示すように、桁構成テーブル中の▲３▼シリアルデータ桁に相当する印字桁部分に“１”がセットされる。
【００５０】
なお、図１６の桁構成テーブルにおいて、未定義部分には全て“０”がセットされる。また、図１６では、桁構成テーブルとともに照合用データテーブルが登録されているが、本実施例では、登録の簡便性から桁構成データ登録時には登録せず、ＭＩＣＲデータチェックフローの中で冊の始めのＭＩＣＲ印字券面の読み取り、このデータを照合用として登録する方式を取っている。
【００５１】
次に、ＭＩＣＲデータチェック処理を図１４に示すフローチャートに基づいて説明する。このＭＩＣＲデータチェックは、照合用データテーブルとＭＩＣＲ読み取り結果データとを照合することにより行う。
【００５２】
まず、シリアルカウンタのカウント値をチェックし（ステップＳ４１）、そのカウント値が“１”の場合は、冊数カウンタのカウント値をチェックし（ステップＳ）、冊数カウンタのカウント値が“０”の場合は、ステップＳ４３に進み、冊数カウンタのカウント値が“１”以上の場合は、ステップＳ４４に進む。
【００５３】
冊数カウンタのカウント値が“０”の場合は、ステップＳ４３において、ＭＩＣＲ読み取りデータ中の固定桁部分を照合用データテーブルに登録する。この固定桁部分の登録については、処理の最初の冊のＭＩＣＲ頁の１頁目のデータを登録する。次いで、ステップＳ４４において、ＭＩＣＲ読み取りデータ中の冊内固定桁部分を照合用データテーブルに登録する。この冊内固定桁部分の登録については、１冊毎のＭＩＣＲ頁の１頁目のデータを登録する。次いで、ステップＳ４５において、ＭＩＣＲ読み取りデータ中のシリアルデータ桁部分を照合用データテーブルに登録した後、ステップＳ４７の処理に移行する。このシリアルデータ桁部分の登録については、１冊毎のＭＩＣＲ頁の１頁目のデータを登録する。
【００５４】
また、ステップＳ４１において、シリアルカウンタのカウント値が“２”以上の場合は、照合用データテーブル内のシリアルデータ（小切手番号）を“＋１”インクリメントして、照合用データテーブルを更新し（ステップＳ４６）、ステップＳ４７においてＭＩＣＲ読取データと照合用データテーブルとを照合する。そして、その照合結果が一致したか否かをチェックし（ステップＳ４８）、一致した場合は、リターンコードを“０”にセットし（ステップＳ４９）、一致しなかった場合は、リターンコードにエラー番号をセットして（ステップＳ５０）、メイン処理に処理を返す。
【００５５】
以上のように、本実施例の自動製本装置１では、予めキー入力装置９及び表示部７により手形・小切手帳の冊構成を頁構成登録テーブルに登録するとともに、ＭＩＣＲ印字頁のＭＩＣＲ桁構成をＭＩＣＲ桁構成テーブルとして登録しておき、１枚づつ搬送される券面について頁構成登録テーブル及びＭＩＣＲ桁構成テーブルに基づいて内容を照合しているため、ＭＩＣＲ読取エラー、シーケンス（通し番号）エラー、冊頁構成エラー（表紙等のＭＩＣＲ印字の無いはずの頁でのＭＩＣＲ検出等）のエラー等を確実に検出することができる。
【００５６】
また、各種エラーが発生した場合は、ブザーが鳴り、エラー内容が表示部７に表示され、さらに、ジャーナルプリンタ部８からプリントアウトされて、次の券面の搬送を行わずに一旦停止されるため、オペレータは、不良券面の発生した１冊の全ての券面をワークスタッカ部５とホッパ部２から取り出すことができる。また、再チェックを行いたい場合は、その取り出した１冊を、再度ホッパ部２にセットし、開始キーを入力することにより、簡単に処理を再スタートさせることができる。
【００５７】
したがって、自動製本装置１を使用することにより、従来は手作業で行われていた冊分離・バインド工程、枚数等チェック工程及びステープル工程を自動化することができ、作業負担を軽減することができるとともに、製本誤り等を未然に防止することができ、金融機関の事務センター等における作業効率を向上させることができる。
【００５８】
なお、上記実施例では、図１４のＭＩＣＲデータチェックフローにおいて、照合用データテーブルの登録を、読み取ったＭＩＣＲ印字頁の１頁目のデータを仕様合用として登録することにより行っていたが、図５のブロック構成図に外部通信インターフェース部を設け、手形・小切手発行装置からＭＩＣＲ印字を行ったデータを通信インターフェース部を介して取り込み、このデータを登録することにより、より厳密にＭＩＣＲ印字内容をチェックすることが可能となる。
【００５９】
【発明の効果】
請求項１記載の発明によれば、ユーザが目視作業によって、印刷内容が正しいかチェックする手間と、印刷用紙１冊分の印刷頁数がすべて印刷されたかをチェックする手間とを削減できるので、従来の製本工程では手作業で行われていた印刷内容チェック工程及び印刷用紙１冊分の印刷頁数チェック工程を自動化することができ、作業者の作業負担を軽減することができるとともに、製本誤り等を未然に防止することができ、作業効率を向上させることができる。
【図面の簡単な説明】
【図１】本発明を適用した手形・小切手発行処理システムのシステム構成の一部を示す図。
【図２】本発明を適用した手形・小切手発行処理システムのシステム構成の一部を示す図。
【図３】図１の自動製本装置内部を上面から見た図。
【図４】図１の自動製本装置内部を側面から見た図。
【図５】図１の自動製本装置内部のブロック構成図。
【図６】小切手帳の代表的な冊構成の一部を示す図。
【図７】図６に続く小切手帳の代表的な冊構成を示す図。
【図８】国内で流通される小切手本券に印字されるＭＩＣＲ印字桁の規定例を示す図。
【図９】ＭＩＣＲ印字桁の代表的な構成例を示す図。
【図１０】図５の主制御部１１において実行される頁構成登録処理のフローチャート。
【図１１】図１０の頁構成登録処理により登録された頁構成登録テーブルの一例を示す図。
【図１２】図５の主制御部１１において実行されるメイン処理のフローチャート。
【図１３】図１２に続くメイン処理のフローチャート。
【図１４】図５の主制御部１１において実行されるＭＩＣＲデータチェック処理のフローチャート。
【図１５】図５の主制御部１１において実行されるＭＩＣＲ桁構成登録処理のフローチャート。
【図１６】図１５のＭＩＣＲ桁構成登録処理により登録されたＭＩＣＲ桁構成テーブルの一例を示す図。
【図１７】従来の手形帳、小切手帳の発行業務において行われる作業工程の流れを示す図。
【図１８】図１７に続く作業工程の流れを示す図。
【符号の説明】
１    自動製本装置
２    ホッパ部
３    搬送ユニット
４    ＭＩＣＲ読取部
５    ワークスタッカ部
６    電動ステープルユニット
７    表示部
８    ジャーナルプリンタ部
９    キー入力装置
１０    排出口
１１    主制御部
１２    メモリ
１３    搬送制御部
１４    ＭＩＣＲ読取制御部
１５    電動ステープラ制御部
１６    電源部
【図１】
0003601087.tif 000002
【図２】
0003601087.tif 000003
【図３】
0003601087.tif 000004
【図４】
0003601087.tif 000005
【図５】
0003601087.tif 000006
【図６】
0003601087.tif 000007
【図７】
0003601087.tif 000008
【図８】
0003601087.tif 000009
【図９】
0003601087.tif 000010
【図１０】
0003601087.tif 000011
【図１１】
0003601087.tif 000012
【図１２】
0003601087.tif 000013
【図１３】
0003601087.tif 000014
【図１４】
0003601087.tif 000015
【図１５】
0003601087.tif 000016
【図１６】
0003601087.tif 000017
【図１７】
0003601087.tif 000018
【図１８】
0003601087.tif 000019